(57)【要約】  本発明は、補助要素を車椅子に連結するためのシステムに関し、前記補助要素は、車椅子を三輪車または同様の形態の椅子に変換するために使用されるタイプのものであり、前記システムは、連結棒を連結するための手段を連結付属品に嵌合できるような、補助要素を連結するための連結棒と、補助要素を連結するための連結付属品とを備える。
2016524957.tif 000002
【特許請求の範囲】
【請求項１】
補助要素が、車椅子を三輪車または同様の形態の椅子に変換するために使用されるタイプのものであり、
異形材（１）を備え、
前記異形材（１）に、前記補助要素に取り付けられる連結付属品に適した連結手段、および前記異形材（１）を前記車椅子に締結するための締結手段が装備される
ことを特徴とする、
補助要素を車椅子に連結するための連結棒。
【請求項２】
前記連結手段が、略平行な板（２）と、前記板（２）の間で横に配置されるロッド（３）とを備え、
前記板（２）が前記異形材（１）に取り付けられる
ことを特徴とする、
請求項１に記載の補助要素を車椅子に連結するための連結棒。
【請求項３】
２枚の平行板（２）と、前記板（２）を垂直に横切る２本のロッド（３）とを備え、
前記板（２）が前記異形材（１）の軸方向軸線に垂直である
ことを特徴とする、
請求項２に記載の補助要素を車椅子に連結するための連結棒。
【請求項４】
前記異形材（１）が略筒状の構造を有する
ことを特徴とする、
請求項１に記載の補助要素を車椅子に連結するための連結棒。
【請求項５】
前記異形材（１）を前記車椅子に締結するための前記締結手段が、クランプ（５）に固定することができるヒンジ（４）を備え、
前記クランプ（５）が同様に、ロック手段によってロックできる回転度で、前記異形材（１）がそれ自身の軸方向軸線のまわりで回転できるように、前記車椅子に固定されてもよい
ことを特徴とする、
請求項１に記載の補助要素を車椅子に連結するための連結棒。
【請求項６】
前記ヒンジ（４）が、前記クランプ（５）に要素を螺合することによって固定される
ことを特徴とする、
請求項５に記載の補助要素を車椅子に連結するための連結棒。
【請求項７】
前記ヒンジが、前記異形材（１）上で環状である筒状突起（６）を有し、
前記ロック手段が、前記筒状突起（６）上で同様に環状であるリング（７）を備え、
前記リング（７）が、前記ヒンジ（４）の前記筒状突起（６）上で、したがって前記異形材（１）自体の上で締め付け能力を有する
ことを特徴とする、
請求項４または５に記載の補助要素を車椅子に連結するための連結棒。
【請求項８】
前記締結手段が、前記異形材（１）に沿って摺動してもよい
ことを特徴とする、
請求項１に記載の補助要素を車椅子に連結するための連結棒。
【請求項９】
補助要素が、車椅子を三輪車または同様の形態の椅子に変換するために使用されるタイプのものであり、
中間横材（９）が収容されるハウジングを形成する複数の板（８）を備え、
前記横材（９）が、前記車椅子に取り付けられる連結棒を連結するための連結手段の動作中に前記横材（９）が旋回するように前記板（８）に結合され、
そのような横材（９）の移動をロックするためのロック手段を備える
ことを特徴とする、
補助要素を車椅子に連結するための連結付属品。
【請求項１０】
前記ロック手段が、前記横材（９）に取り付けられるケーブル（１１）で具現化され、
前記ケーブル（１１）には補助要素上に設置される作動制御が装備される
ことを特徴とする
請求項９に記載の補助要素を車椅子に連結するための連結付属品。
【請求項１１】
前記ロック手段が、ケーブル（１１）、クランプ（１２）およびバネ（１３）で具現化され、
前記ケーブル（１１）には補助要素上に設置される作動制御が装備される
ことを特徴とする
請求項９に記載の補助要素を車椅子に連結するための連結付属品。
【請求項１２】
前記板（８）のうちの少なくとも１枚に凹部（１０）を有する
ことを特徴とする
請求項９に記載の補助要素を車椅子に連結するための連結付属品。
【請求項１３】
補助要素が、車椅子を三輪車または同様の形態の椅子に変換するために使用されるタイプのものであり、
請求項１に記載の補助要素と請求項９に記載の連結付属品とを連結するための連結棒を備え、前記連結棒を連結するための前記連結手段を前記連結付属品に嵌合できる
ことを特徴とする、
補助要素を車椅子に連結するためのシステム。
【請求項１４】
前記ロッド（３）の端部を前記凹部（１０）に収容できる
ことを特徴とする、
請求項３、１０または１２のいずれか一項に記載の補助要素を車椅子に連結するためのシステム。
【発明の詳細な説明】
【技術分野】
【０００１】
本発明の目的
本発明特許出願の目的は、補助要素を車椅子に連結するための連結棒と、補助要素を車椅子に連結するための連結付属品とを登録することであり、それらは、補助要素を車椅子に連結するための、本発明の目的であるシステムで使用され、現在まで使用されている技術と比較して、注目すべき革新および利点が組み込まれている。
【０００２】
さらに本発明は、補助要素を車椅子に連結するためのシステムの開発を提案し、それは、その特定の構造によって、補助要素の車椅子への連結を可能にし、その補助要素は、車椅子を三輪車または同様の形態の椅子に変換するために使用されるタイプのものである。
【背景技術】
【０００３】
現況技術において、既知の車椅子の三輪車または同様の形態の椅子への、それらの特定の構造による変換を可能にする補助要素が、ユーザにもたらされる利点とともに知られている。
【発明の概要】
【発明が解決しようとする課題】
【０００４】
しかし、このような要素の車椅子への連結は、特に、多種多様な車椅子のモデルへの適応に関して問題を含んでいることがあり、それは、その能力および利点を生かすための、この要素と車椅子自身との間の適切な相対的な位置決めに帰着する。
【０００５】
この点について、車椅子のそれぞれ異なるモデルに適した補助要素の製造が必要であり、それに伴い、起こりうる故障および修理の場合に、たとえば設置者に対する、参考資料の数が増加し、柔軟性が欠如する。
【０００６】
本発明は、本問題を克服し、解決することができるが、それは、迅速かつ効果的な方法で、補助要素と車椅子との間の適切な連結を可能にし、その能力および利点を最大限に活用する適切な相対的な位置決めによって、広い範囲のさまざまな車椅子に適合するためである。
【課題を解決するための手段】
【０００７】
本発明は、補助要素を車椅子に連結するための連結棒を提供するために開発され、その補助要素は、車椅子を三輪車または同様の形態の椅子に変換するために使用されるタイプのものであり、異形材を備えることを基本的には特徴とし、そのような異形材には、補助要素に取り付けられる連結付属品に適した連結手段、およびその異形材を車椅子に締結するための締結手段が設けられる。
【０００８】
好ましくは、補助要素を車椅子に連結するための連結棒上で、連結手段は、略平行な板と、板の間で横に配置されるロッドとを備え、板は異形材に取り付けられる。
【０００９】
さらに、補助要素を車椅子に連結するための連結棒は、２枚の平行板と、板を垂直に横切る２本のロッドとを備え、板は異形材の軸方向軸線に垂直である。
【００１０】
あるいは、補助要素を車椅子に連結するための連結棒上で、異形材は略筒状の構造を有する。
【００１１】
同様に、補助要素を車椅子に連結するための連結棒上で、異形材を車椅子に締結するための締結手段は、クランプに固定することができるヒンジを備え、前記クランプは同様に、ロック手段によってロックできる回転度で、異形材がそれ自身の軸方向軸線のまわりで回転できるように、車椅子に固定されてもよい。
【００１２】
この点について、補助要素を車椅子に連結するための連結棒上で、ヒンジは、クランプに要素を螺合することによって固定される。
【００１３】
好ましくは、補助要素を車椅子に連結するための連結棒上で、ヒンジは異形材上に筒状突起を有し、固定手段は前記筒状突起上で同様に環状であるリングを備え、リングは、ヒンジの筒状突起上で、したがって同じ異形材上で締め付け能力を有する。
【００１４】
さらに、補助要素を車椅子に連結するための棒上で、締結手段は、異形材に沿って摺動することができる。
【００１５】
本発明はまた、補助要素を車椅子に連結するための連結付属品を提供するために開発され、その補助要素は車椅子を三輪車または同様の形態の椅子に変換するために使用されるタイプのものであり、連結付属品は中間横材が収容されるハウジングを形成する複数の板を備え、前記横材は車椅子に取り付けられる連結棒を連結するための連結手段の動作中に横材が旋回するように板に結合され、そのような横材の移動をロックするためのロック手段を備えることを基本的には特徴とする。
【００１６】
好ましくは、補助要素を車椅子に連結するための連結付属品において、ロック手段は、横材に取り付けられるケーブルで具現化され、前記ケーブルには補助要素上に設置される作動制御が備えられる。
【００１７】
あるいは、補助要素を車椅子に連結するための連結付属品において、ロック手段は、ケーブル、クランプ、およびバネで具現化され、前記ケーブルには補助要素上に設置される作動制御が備えられる。
【００１８】
さらに、補助要素を車椅子に連結するための連結付属品は、板のうちの少なくとも１枚に凹部を有する。
【００１９】
本発明の目的である補助要素を車椅子に連結するためのシステムもまた、車椅子を三輪車または同様の形態の椅子に変換するために使用されるタイプの補助要素であり、補助要素と連結付属品とを連結するための連結棒を備え、連結棒を連結するための手段を連結付属品に嵌合できることを基本的には特徴とする。
【００２０】
好ましくは、補助要素を車椅子に連結するためのシステムにおいて、ロッドの端部を凹部に収容できる。
【００２１】
本発明により、車椅子を三輪車または同様の形態の椅子に変換するために使用されるタイプの補助要素と車椅子自体との間の適切な連結が、迅速かつ効果的な方法で得られ、その能力および利点を最大限生かすための適切な相対的な位置決めによって、幅広い車椅子のさまざまなモデルに容易に適合される。
【００２２】
この点について、提案される発明のシステムは、車椅子の筒状異形材の任意の形状（卵形、円形、板など）、ならびに、たとえば椅子の幅またはシートの可能な傾斜のような椅子の任意の大きさに適合する。
【００２３】
補助要素を車椅子に連結するためのシステムのその他の特徴および効果は、添付の図面に非限定的な例として示される、好ましいが、限定的ではない実施形態の記述から明らかであろう。
【図面の簡単な説明】
【００２４】
【図１】本発明の目的である、補助要素を車椅子に連結するための連結システムの好ましい実施形態の斜視図である。
【発明を実施するための形態】
【００２５】
図１に示されるように、補助要素を車椅子に連結するためのシステムであって、その補助要素は、車椅子を三輪車または同様の形態の椅子に変換するために使用されるタイプのものであり、補助要素を連結するための連結棒と、補助要素を連結するための連結付属品とを備え、連結棒には、前記連結付属品に嵌合できる連結手段が装備される。
【００２６】
この好ましい実施形態において、補助要素を連結するための連結棒は略筒状の異形材１を備える。
【００２７】
連結棒は、補助要素に取り付けられる連結付属品に適した連結手段と、異形材１を車椅子に締結するための締結手段とを備える。
【００２８】
この好ましい実施形態において、連結手段は、２枚の平行板２、および板２の間で横にかつ垂直に配置される２本のロッド３で具現化され、板２は、異形材１に取り付けられ、同じ異形材１の軸方向軸線に垂直である。
【００２９】
この好ましい実施形態において、締結手段は、クランプ５に固定できるヒンジ４で具現化され、前記クランプ５は同様に、ロック手段によってロックできる回転度で、異形材１がそれ自身の軸方向軸線のまわりで回転できるように、車椅子自体のシャーシ１４に固定されてもよい（図面の範囲に示されず、かつ、本発明の目的ではない）。
【００３０】
ヒンジ４は、要素を螺合することによってクランプ５に取り付けられ、それはユーザによって容易に取り扱うことができる。
【００３１】
ヒンジ４は、クランプ５から切り離すことができ、前記クランプ５は、異形材１および本発明のシステムなしで車椅子のシャーシ１４上に固定したままにすることができ、それ自体は車椅子に連結されたままである。
【００３２】
本発明を実行するためのこの好ましいモードにおいて、ヒンジ４は、異形材１上で環状である筒状突起６を有する。ロック手段は、前記筒状突起６上で同様に環状であるリング７で具現化される。
【００３３】
筒状突起６上でリング７を締めることによって、筒状突起６は同様に異形材１自体の上で締められ、それによって、前記異形材１がそれ自身の軸方向軸線のまわりで回転することが防止され、したがって、それ自身の軸方向軸線のまわりのその回転度で固定される。
【００３４】
補助要素を連結するための連結付属品は、中間横材９が収容されるハウジングを形成する複数の板８を備える。
【００３５】
この好ましい実施形態において、これらは２枚の板８から成り、横材９は、横材９が上述の連結手段の動作中に旋回できるように板８に結合され、それは上記の車椅子に取り付けられる連結棒上に設けられる。
【００３６】
連結付属品は、横材９の移動をロックするためのロック手段を備える。
【００３７】
この好ましい実施形態において、ロック手段は、横材９に固定されるケーブル１１で具現化され、前記ケーブルには、補助要素自体の上に設置される作動制御が設けられる（図面に示されず、かつ、本発明の目的ではない）。
【００３８】
図に示されない他の実施形態において、ロック手段は、バネ１３によって設置されるケーブル１１およびクランプ１２で具現化されてもよい。クランプ１２は、バネ１３によって移される位置で、横材９を解放する。同様にケーブル１１には、補助要素自体の上に設置される作動制御が装備される（図面に示されず、かつ、本発明の目的ではない）。
【００３９】
ケーブル１１が作動制御によって引かれるとき、ケーブル１１は同様に、バネ１３の抵抗に打ち勝つクランプ１２を移動させ、よって、クランプ１２は、ケーブル１１によって決定されるその新しい位置で、横材９の移動をロックする。
【００４０】
板８は凹部１０を有する。そのような凹部１０は、上述のロッド３の収容に適している。
【００４１】
補助要素を本発明の車椅子に連結するためのシステムは、補助要素を連結するための連結棒と、補助要素を連結するための連結付属品とを備え、連結棒を連結するための連結手段を連結付属品に嵌合でき、互いの内部に相互に挿入されると自動的に結合される。
【００４２】
この好ましい実施形態において、連結棒の連結手段は、板２のロッド３を板８の凹部１０に収容することによって、連結付属品に嵌合することができる。
【００４３】
提案された発明により、車椅子を三輪車または同様の形態の椅子に変換するために使用されるタイプの補助要素は、迅速かつ効果的な方法で車椅子自体に適切に適合され、その能力および利点を最大限生かすための適切な相対的な位置決めによって、幅広いさまざまな車椅子に適合される。
【００４４】
本発明は、車椅子シャーシの筒状異形材の任意の形状（卵形、円形、板など）、ならびに、たとえば椅子の幅またはシートの可能な傾斜などの椅子のさまざまな大きさに適合する。
【００４５】
本発明の、補助要素を車椅子に連結するためのシステムの製作において使用される詳細、形状、寸法、およびその他の付属品要素、ならびに材料は、技術的に同等であり、本発明の本質または以下に含まれる特許請求の範囲によって定義される範囲から逸脱しない他のものによって、適切に置換されてもよい。
【図１】
2016524957.tif 000003
【国際調査報告】
2016524957.tif 000004
2016524957.tif 000005
2016524957.tif 000006
2016524957.tif 000007
2016524957.tif 000008
2016524957.tif 000009